(57)【要約】【課題】キャビネットの保管スペースを削減するとともに、キャビネットを容易に組み立てることができる遊技機を提供する。【解決手段】前面に開口部を有する箱状のキャビネット６０と、キャビネット６０の開放面６０１に着脱可能に取り付けられた前面ドア２と、を備えた遊技機であって、キャビネット６０は、底板６０Ｄ、天板６０Ｃ、背板６０Ｅ、及び互いに対面する一対の側板６０Ａ，６０Ｂを有し、底板６０Ｄ、側板６０Ａ，６０Ｂ、及び天板６０Ｃは、背板６０Ｅに略直交する方向から背板６０Ｅに略水平になる方向に回動可能とする第１蝶番６３を有し、底板６０Ｄの側縁部と側板６０Ａ，６０Ｂの側縁部とを係止する底板係止部６１と、天板６０Ｃの側縁部と側板６０Ａ，６０Ｂの側縁部とを係止する天板係止部６２と、を備える。【選択図】図２
2007313237.tif 000002
【特許請求の範囲】
【請求項１】
前面に開口部を有する箱状のキャビネットと、前記キャビネットの前面に着脱可能に取り付けられた前面ドアと、を備えた遊技機であって、
前記キャビネットは、底板、天板、背板、及び互いに対面する一対の側板を有し、
前記底板、前記側板、及び前記天板は、前記背板に略直交する方向から前記背板に略水平になる方向に回動可能とする回動部を有し、
前記底板の側縁部と前記側板の側縁部とを係止する底板係止部と、
前記天板の側縁部と前記側板の側縁部とを係止する天板係止部と、を備えることを特徴とする遊技機。
【請求項２】
前記底板係止部は、前記底板と前記背板との間に前記側板を挟んだ状態で、前記底板と前記背板とを係止し、
前記天板係止部は、前記天板と前記背板との間に前記側板を挟んだ状態で、前記天板と前記背板とを係止することを特徴とする請求項１に記載の遊技機。
【請求項３】
前記底板の前記側板が立設する側縁部には、この側縁部に沿って底板案内部が設けられ、
前記側板の底板側端部には、前記底板案内部に案内される底板ピンが設けられ、
前記天板の前記側板が接する側縁部には、この側縁部に沿って天板案内部が設けられ、
前記側板の天板側端部には、前記天板案内部に案内される天板ピンが設けられることを特徴とする請求項１または２に記載の遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
ところで、遊技機は、箱状のキャビネットの内部に、変動表示装置及び制御手段が収容された状態で遊技場に設置されている。このような遊技機のキャビネット、変動表示装置及び制御手段などの部品は、それぞれ別の場所で製造される。それぞれ別の場所で製造された部品は、所定の場所に輸送され、保管される。そして、遊技機の需要に応じて、これらの部品を組み立ててから、遊技場に設置する。
【０００５】
ここで、キャビネットは箱状である。よって、このキャビネットの保管に要するスペースは、変動表示装置及び制御手段が収容されていない状態でも、変動表示装置及び制御手段が収容された状態と同じ大きさのスペースを必要とする。したがって、保管スペースを削減できるキャビネットの開発が望まれている。
例えば、互いに隣接して設置する複数台用のキャビネットを、この複数台共通の底板、天板、背板、中板、及びこの複数台の遊技機を互いに仕切る側板とで構成し、側板と天板及び底板とを蝶番によって接合した遊技機が提案されている（特許文献１参照）。
この特許文献１に示された遊技機によれば、キャビネットをキャビネット本体と背板と中板とに分解し、キャビネット本体を方形状の四角枠の状態から平行四辺形状の押し潰した状態にして保管できるので、キャビネットの保管スペースを削減できる。
【０００６】
【特許文献１】特開２００４−９７５２２号公報
【発明の開示】
【発明が解決しようとする課題】
【０００７】
しかしながら、キャビネットを保管するときに、背板と中板とを分解すると、キャビネット本体の他に、分解した背板と中板も保管する必要が生じ、新たな保管スペースが必要となる。また、キャビネットを組み立てるための部品が増えるので、キャビネットの組み立て作業が繁雑になるおそれがあった。
【０００８】
本発明の目的は、キャビネットの保管スペースを削減するとともに、キャビネットを容易に組み立てることができる遊技機を提供することである。
【課題を解決するための手段】
【０００９】
本発明では、以下のようなものを提供する。
【００１０】
（１）  前面に開口部を有する箱状のキャビネット（例えば、後述のキャビネット６０）と、前記キャビネットの前面（例えば、後述の開放面６０１）に着脱可能に取り付けられた前面ドア（例えば、後述の前面ドア２）と、を備えた遊技機であって、前記キャビネットは、底板（例えば、後述の底板６０Ｄ）、天板（例えば、後述の天板６０Ｃ）、背板（例えば、後述の背板６０Ｅ）、及び互いに対面する一対の側板（例えば、後述の側板６０Ａ，６０Ｂ）を有し、前記底板、前記側板、及び前記天板は、前記背板に略直交する方向から前記背板に略水平になる方向に回動可能とする回動部（例えば、後述の第１蝶番６３）を有し、前記底板の側縁部と前記側板の側縁部とを係止する底板係止部（例えば、後述の底板係止部６１）と、前記天板の側縁部と前記側板の側縁部とを係止する天板係止部（例えば、後述の天板係止部６２）と、を備えることを特徴とする遊技機。
【００１１】
（１）記載の遊技機によれば、キャビネットの底板、側板、及び天板は、背板に略直交する方向から背板に略水平になる方向に回動可能とする回動部を有し、底板の側縁部と側板の側縁部とを係止する底板係止部と、天板の側縁部と側板の側縁部とを係止する天板係止部とを備えた。
よって、底板、側板、及び天板を背板に略直交する方向から背板に略水平になる方向に回動することで、キャビネットを折りたたむことができる。これにより、キャビネットを折りたたんでから保管することで、キャビネットの保管スペースを削減できる。
また、折りたたんだキャビネットを組み立てるときは、底板、側板、及び天板を背板に略水平になる方向から背板に略直交する方向に回動し、底板係止部により底板の側縁部と側板の側縁部とを係止し、天板係止部により天板の側縁部と側板の側縁部とを係止するだけで、底板、側板、及び天板を固定できるので、キャビネットを容易に組み立てることができる。
【００１２】
（２）  前記底板係止部は、前記底板と前記背板との間に前記側板を挟んだ状態で、前記底板と前記背板とを係止し、前記天板係止部は、前記天板と前記背板との間に前記側板を挟んだ状態で、前記天板と前記背板とを係止することを特徴とする（１）に記載の遊技機。
【００１３】
（２）記載の遊技機によれば、底板係止部は、底板と背板との間に側板を挟んだ状態で、底板と背板とを係止し、天板係止部は、天板と背板との間に側板を挟んだ状態で、天板と背板とを係止する。
これにより、キャビネットを折りたたんだ状態でも、回動可能である底板、側板、及び天板を固定できるので、折りたたんだキャビネットの取り扱いが容易となり、より有効に保管スペースを削減できるとともに、折りたたんだキャビネットの輸送も容易となる。
【００１４】
（３）  前記底板の前記側板が立設する側縁部には、この側縁部に沿って底板案内部（例えば、後述の底板レール６６）が設けられ、前記側板の底板側端部には、前記底板案内部に案内される底板ピン（例えば、後述の底板ピン６７）が設けられ、前記天板の前記側板が接する側縁部には、この側縁部に沿って天板案内部（例えば、後述の天板レール６８）が設けられ、前記側板の天板側端部には、前記天板案内部に案内される天板ピン（例えば、後述の天板ピン６９）が設けられることを特徴とする（１）又は（２）に記載の遊技機。
【００１５】
（３）記載の遊技機によれば、底板の側縁部にこの側縁部に沿って底板案内部を設け、側板の底板側端部に底板案内部に案内される底板ピンを設け、天板の側縁部にこの側縁部に沿って天板案内部を設け、側板の天板側端部に、天板案内部に案内される天板ピンを設けた。
これにより、側板を底板案内部及び天板案内部に案内させて回動させることができるので、キャビネットをより容易に折りたためるとともに、組み立てることができる。
【発明の効果】
【００１６】
本発明によれば、底板、側板、及び天板を背板に略直交する方向から背板に略水平になる方向に回動することで、キャビネットを折りたたむことができる。これにより、キャビネットを折りたたんでから保管することで、キャビネットの保管スペースを削減できる。
また、折りたたんだキャビネットを組み立てるときは、底板、側板、及び天板を背板に略水平になる方向から背板に略直交する方向に回動し、底板係止部により底板の側縁部と側板の側縁部とを係止し、天板係止部により天板の側縁部と側板の側縁部とを係止するだけで、底板、側板、及び天板を固定できるので、キャビネットを容易に組み立てることができる。
【発明を実施するための最良の形態】
【００１７】
以下、実施例の遊技機について説明する。
【実施例１】
【００１８】
図１は、本発明の実施例１の遊技機１の外観を示す斜視図である。遊技機１は、いわゆる「パチスロ機」である。この遊技機１は、コイン、メダル、遊技球又はトークン等の他、遊技者に付与された、もしくは付与される遊技価値の情報を記憶したカード等の遊技媒体を用いて遊技する遊技機であるが、以下ではメダルを用いるものとして説明する。
【００１９】
遊技機１の全体を形成している筐体４は、箱状のキャビネット６０と、このキャビネット６０を開閉する前面ドア２と、を備える。この前面ドア２正面の略中央には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２０】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２１】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２２】
前面ドア２の裏面には、複数のリール３Ｌ，３Ｃ，３Ｒと、これらリール３Ｌ，３Ｃ，３Ｒを回転駆動するステッピングモータと、を収容する遊技に必要な識別情報を変動表示する変動表示手段としてのリールユニットがミドルドアを介して設けられている。
【００２３】
各リール３Ｌ，３Ｃ，３Ｒには、それぞれの外周面に、遊技に必要な複数種類の図柄によって構成される識別情報としての図柄列が描かれており、各々はリールユニットに回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２４】
表示窓４Ｌ，４Ｃ，４Ｒの上方には、画像表示手段としての液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００２５】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２６】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２７】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００２８】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００２９】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００３０】
台座部１０の前面部の略中央には、遊技者が操作可能な操作手段としての停止ボタン７Ｌ，７Ｃ，７Ｒが設けられている。これら３個の停止ボタン７Ｌ，７Ｃ，７Ｒは、３個のリール３Ｌ，３Ｃ，３Ｒの回転をそれぞれ停止させるために、遊技者が操作するボタンである。なお、実施例では、一のゲーム（単位遊技）は、基本的にスタートレバー６が操作されることにより開始し、全てのリール３Ｌ，３Ｃ，３Ｒが停止したときに終了する。
【００３１】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３２】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００３３】
図２を参照して、キャビネット６０の構成について説明する。
図２は、本発明の実施例１に係るキャビネット６０の構成を示す斜視図である。
キャビネット６０は、箱状の収容容器であり、底板６０Ｄと、この底板６０Ｄの周縁に立設された側板６０Ａ，６０Ｂ及び背板６０Ｅと、これら側板６０Ａ，６０Ｂ及び背板６０Ｅの上端に設けられた天板６０Ｃと、から構成されている。
このような構成により、キャビネット６０は、前面に開放面６０１が形成されている。この開放面６０１を形成する縁の一端には、前面ドア２がキャビネット６０に開閉可能に取り付けられている。
【００３４】
底板６０Ｄは、背板６０Ｅの略直交する方向に向けて、背板６０Ｅに接続されている。
また、底板６０Ｄは、基端側で２つに分割されている。これらの２つに分割された底板６０Ｄは、背板６０Ｅに略直交する方向から背板６０Ｅに略水平になる方向に回動可能とする回動部としての２つの第１蝶番６３を介して接続されている。
さらに、底板６０Ｄの先端側には、この底板６０Ｄの側縁部と側板６０Ａ，６０Ｂの側縁部とをそれぞれ係止するための底板係止片６１１が設けられている。
【００３５】
この底板係止片６１１は、略Ｌ型状に形成され、底板６０Ｄに取り付けられた基端部６１５と、この基端部６１５の端部から延出し、この基端部６１５に略直交する方向に形成された先端部６１６とを備える。この底板係止片６１１は、薄い板状の金属で形成され、底板６０Ｄに対して略水平方向に弾性変形可能である。
基端部６１５には、互いに対向する緩斜面を有する突部６１５ａが形成されている。
先端部６１６の先端には、この先端部６１６の延出方向と略直交する方向に向けて爪部６１６ａが形成されている。この爪部６１６ａは、後述する側板６０Ａ，６０Ｂに形成された底板係止片用かき込み６１２に係合する。
すなわち、底板係止片６１１は、基端部６１５の突部６１５ａと先端部６１６とで、側板６０Ａ，６０Ｂの側縁部を挟み、先端部６１６の爪部６１６ａを側板６０Ａ，６０Ｂの底板係止片用かき込み６１２に係合することで、底板６０Ｄの側縁部と側板６０Ａ，６０Ｂの側縁部とを係止する。
【００３６】
天板６０Ｃは、背板６０Ｅの略直交する方向に向けて、背板６０Ｅに接続されている。
また、天板６０Ｃは、基端側で２つに分割されている。これらの２つに分割された天板６０Ｃは、背板６０Ｅに略直交する方向から背板６０Ｅに略水平になる方向に回動可能とする回動部としての２つの第１蝶番６３を介して接続されている。
さらに、天板６０Ｃの先端側には、この天板６０Ｃの側縁部と側板６０Ａ，６０Ｂの側縁部とをそれぞれ係止するための天板係止片６２１が設けられている。
【００３７】
この天板係止片６２１は、略Ｌ型状に形成され、天板６０Ｃに取り付けられた基端部６２５と、この基端部６２５の端部から延出し、この基端部６２５に略直交する方向に形成された先端部６２６とを備える。この天板係止片６２１は、薄い板状の金属で形成され、天板６０Ｃに対して略水平方向に弾性変形可能である。
基端部６２５には、互いに対向する緩斜面を有する突部６２５ａが形成されている。
先端部６２６の先端には、この先端部６２６の延出方向と略直交する方向に向けて爪部６２６ａが形成されている。この爪部６２６ａは、後述する側板６０Ａ，６０Ｂに形成された天板係止片用かき込み６２２に係合する。
【００３８】
すなわち、天板係止片６２１は、基端部６２５の突部６２５ａと先端部６２６とで、側板６０Ａ，６０Ｂの側縁部を挟み、先端部６２６の爪部６２６ａを側板６０Ａ，６０Ｂの天板係止片用かき込み６２２に係合することで、天板６０Ｃの側縁部と側板６０Ａ，６０Ｂの側縁部とを係止する。
【００３９】
側板６０Ａ，６０Ｂは、背板６０Ｅの略直交する方向に向けて、背板６０Ｅに接続されている。
また、側板６０Ａ，６０Ｂは、基端側で２つに分割されている。これらの２つに分割された側板６０Ａ，６０Ｂは、背板６０Ｅに略直交する方向から背板６０Ｅに略水平になる方向に回動可能とする回動部としての３つの第１蝶番６３を介して接続されている。
【００４０】
さらに、側板６０Ａ，６０Ｂの底板方向の先端側には、この側板６０Ａ，６０Ｂの側縁部と底板６０Ｄの側縁部とをそれぞれ係止するための底板係止片用かき込み６１２が形成されている。この底板係止片用かき込み６１２は、底板６０Ｄの底板係止片６１１の先端部６１６の爪部６１６ａと係止する。
また、側板６０Ａ，６０Ｂの天板方向の先端側には、この側板６０Ａ，６０Ｂの側縁部と天板６０Ｃの側縁部とをそれぞれ係止するための天板係止片用かき込み６２２が形成されている。この天板係止片用かき込み６２２は、天板６０Ｃの天板係止片６２１の先端部６２６の爪部６２６ａと係止する。
【００４１】
上述の底板６０Ｄの底板係止片６１１と側板６０Ａ，６０Ｂの底板係止片用かき込み６１２とで、底板６０Ｄの側縁部と側板６０Ａ，６０Ｂの側縁部とを係止する底板係止部６１を構成する。
また、上述の天板６０Ｃの天板係止片６２１と側板６０Ａ，６０Ｂの天板係止片用かき込み６２２とで、天板６０Ｃの側縁部と側板６０Ａ，６０Ｂの側縁部とを係止する天板係止部６２を構成する。
【００４２】
次に、図３及び図４を用いて、キャビネット６０を折りたたむ手順について説明する。
図３は、実施例１のキャビネット６０の構成を示す斜視図である。
図４は、実施例１の折りたたんだ状態のキャビネット６０の構成を示す断面図である。
側板６０Ａの中央部分をキャビネット６０の内部方向に押し、側板６０Ａをキャビネット６０の内部方向にたわませながら押し込む。すると、側板６０Ａの側縁部は、底板係止片６１１の基端部６１５の突部６１５ａに当接しながら、この突部６１５ａの先端部６１６側の緩斜面からキャビネット６０の内部側の緩斜面に移動する。そして、底板係止片６１１の先端部６１６の爪部６１６ａと側板６０Ａの底板係止片用かき込み６１２との係合が解除される。また、側板６０Ａの側縁部は、天板係止片６２１の基端部６２５の突部６２５ａに当接しながら、この突部６２５ａの先端部６２６側の緩斜面からキャビネット６０の内部側の緩斜面に移動する。そして、天板係止片６２１の先端部６２６の爪部６２６ａと側板６０Ａの天板係止片用かき込み６２２との係合が解除される。次に、側板６０Ｂを側板６０Ａと同様の手順で、底板係止片６１１の爪部６１６ａと側板６０Ａの底板係止片用かき込み６１２との係合を解除するとともに、天板係止片６２１の爪部６２６ａと側板６０Ａの天板係止片用かき込み６２２との係合を解除する。
【００４３】
その後、側板６０Ａの先端側を３つの第１蝶番６３を支点として、背板６０Ｅに略直交する方向から背板６０Ｅに略水平になる方向に回動させる。次に、側板６０Ｂを側板６０Ａと同様の手順で、背板６０Ｅに略直交する方向から背板６０Ｅに略水平になる方向に回動させる。
【００４４】
次に、底板６０Ｄの先端側を２つの第１蝶番６３を支点として、背板６０Ｅに略直交する方向から背板６０Ｅに略水平になる方向に回動させる。底板６０Ｄと背板６０Ｅとの間に側板６０Ａ，６０Ｂを挟んだ状態で、背板６０Ｅと略水平になった底板６０Ｄの底板係止片６１１の先端部６１６の爪部６１６ａが背板６０Ｅに接触しないように、先端部６１６を外側に弾性変形させて、爪部６１６ａを背板６０Ｅの裏面に配置する。その後、弾性変形させている先端部６１６を開放して、爪部６１６ａを背板６０Ｅの裏面に係止させる。また、天板６０Ｃの先端側を２つの第１蝶番６３を支点として、背板６０Ｅに略直交する方向から背板６０Ｅに略水平になる方向に回動させる。天板６０Ｃと背板６０Ｅとの間に側板６０Ａ，６０Ｂを挟んだ状態で、背板６０Ｅと略水平になった天板６０Ｃの天板係止片６２１の先端部６２６の爪部６２６ａが背板６０Ｅに接触しないように、先端部６２６を外側に弾性変形させて、爪部６２６ａを背板６０Ｅの裏面に配置する。その後、弾性変形させている先端部６２６を開放して、爪部６２６ａを背板６０Ｅの裏面に係止させる。
【００４５】
次に、キャビネット６０を組み立てる手順について説明する。
底板係止片６１１の先端部６１６を外側に弾性変形させて、先端部６１６の爪部６１６ａと背板６０Ｅの裏面との係止を解除して、底板６０Ｄの先端側を２つの第１蝶番６３を支点として、背板６０Ｅに略水平になる方向から背板６０Ｅに略直交する方向に回動させる。また、天板係止片６２１の先端部６２６を外側に弾性変形させて、先端部６２６の爪部６２６ａと背板６０Ｅの裏面との係止を解除して、天板６０Ｃの先端側を２つの第１蝶番６３を支点として、背板６０Ｅに略水平になる方向から背板６０Ｅに略直交する方向に回動させる。
【００４６】
次に、側板６０Ａの先端側を３つの第１蝶番６３を支点として、背板６０Ｅに略水平になる方向から背板６０Ｅに略直交する方向に回動させる。次に、側板６０Ｂを側板６０Ａと同様の手順で、背板６０Ｅに略水平になる方向から背板６０Ｅに略直交する方向に回動させる。
【００４７】
その後、側板６０Ａの中央部分をキャビネット６０の外部方向に押し、側板６０Ａをキャビネット６０の外部方向にたわませながら押し込む。すると、側板６０Ａの側縁部は、底板係止片６１１の基端部６１５の突部６１５ａに当接しながら、キャビネット６０の内部側の緩斜面から先端部６１６側の緩斜面に移動するとともに、底板係止片６１１の先端部６１６の爪部６１６ａと側板６０Ａの底板係止片用かき込み６１２とが係合する。また、側板６０Ａの側縁部は、天板係止片６２１の基端部６２５の突部６２５ａに当接しながら、キャビネット６０の内部側の緩斜面から先端部６２６側の緩斜面に移動するとともに、天板係止片６２１の先端部６２６の爪部６２６ａと側板６０Ａの天板係止片用かき込み６２２とが係合する。次に、側板６０Ｂを側板６０Ａと同様の手順で、底板係止片６１１の爪部６１６ａと側板６０Ａの底板係止片用かき込み６１２とを係合させるとともに、天板係止片６２１の爪部６２６ａと側板６０Ａの天板係止片用かき込み６２２とを係合させて、底板６０Ｄ、側板６０Ａ，６０Ｂ、及び天板６０Ｃを固定する。
【００４８】
実施例１によれば、以下のような効果がある。
（１）キャビネット６０の底板６０Ｄ、側板６０Ａ，６０Ｂ、及び天板６０Ｃは、背板６０Ｅに略直交する方向から背板６０Ｅに略水平になる方向に回動可能とする第１蝶番６３を有し、底板６０Ｄの側縁部と側板６０Ａ，６０Ｂの側縁部とを係止する底板係止部６１と、天板６０Ｃの側縁部と側板６０Ａ，６０Ｂの側縁部とを係止する天板係止部６２とを備えた。
よって、底板６０Ｄ、側板６０Ａ，６０Ｂ、及び天板６０Ｃを背板６０Ｅに略直交する方向から背板６０Ｅに略水平になる方向に回動することで、キャビネット６０を折りたたむことができる。これにより、キャビネット６０を折りたたんでから保管することで、キャビネット６０の保管スペースを削減できる。
また、折りたたんだキャビネット６０を組み立てるときは、底板６０Ｄ、側板６０Ａ，６０Ｂ、及び天板６０Ｃを背板６０Ｅに略水平になる方向から背板６０Ｅに略直交する方向に回動し、底板係止部６１により底板６０Ｄの側縁部と側板６０Ａ，６０Ｂの側縁部とを係止し、天板係止部６２により天板６０Ｃの側縁部と側板６０Ａ，６０Ｂの側縁部とを係止するだけで、底板６０Ｄ、側板６０Ａ，６０Ｂ、及び天板６０Ｃを固定できるので、キャビネット６０を容易に組み立てることができる。
【００４９】
（２）底板係止部６１は、底板６０Ｄと背板６０Ｅとの間に側板６０Ａ，６０Ｂを挟んだ状態で、底板６０Ｄと背板６０Ｅとを係止し、天板係止部６２は、天板６０Ｃと背板６０Ｅとの間に側板６０Ａ，６０Ｂを挟んだ状態で、天板６０Ｃと背板６０Ｅとを係止する。
これにより、キャビネット６０を折りたたんだ状態でも、回動可能である底板６０Ｄ、側板６０Ａ，６０Ｂ、及び天板６０Ｃを固定できるので、折りたたんだキャビネット６０の取り扱いが容易となり、より有効に保管スペースを削減できるとともに、折りたたんだキャビネット６０の輸送も容易となる。
【実施例２】
【００５０】
以下の実施例２の説明にあたって、実施例１と同一構成要件については同一符号を付し、その説明を省略もしくは簡略化する。
図５は、本発明の実施例２に係るキャビネット６０ａの構成を示す斜視図である。
【００５１】
実施例２のキャビネット６０ａでは、実施例１における側板６０Ａ，６０Ｂの代わりに、側板６０Ａ，６０Ｂがさらに２つに分割され、底板ピン６７及び天板ピン６９が設けられた側板６５Ａ，６５Ｂを備えている点が、実施例１と異なる。
また、実施例２のキャビネット６０ａでは、底板６０Ｄに底板レール６６が設けられ、天板６０Ｃに天板レール６８が設けられている点が、実施例１と異なる。
【００５２】
側板６５Ａ，６５Ｂは、背板６０Ｅの略直交する方向に向けて、背板６０Ｅに接続されている。
また、側板６５Ａ，６５Ｂは、基端側で分割されている。これらの分割された側板６５Ａ，６５Ｂは、背板６０Ｅに略直交する方向から背板６０Ｅに略水平になる方向に回動可能とする回動部としての３つの第１蝶番６３を介して接続されている。この分割された側板６５Ａ，６５Ｂのうちの先端側の部分は、さらに、２つに分割されている。これらの２つに分割された部分は、背板６０Ｅに略直交する方向から背板６０Ｅに略水平になる方向に回動可能とする４つの第２蝶番６４を介して接続されている。さらに、側板６５Ａ，６５Ｂの底板方向の先端側には、後述する底板ピン６７が設けられている。また、側板６５Ａ，６５Ｂの天板方向の先端側には、後述する天板ピン６９が設けられている。
【００５３】
次に、図６を参照して、底板レール６６及び天板レール６８と、底板ピン６７及び天板ピン６９とについて説明する。
図６は、本発明の実施例２に係るキャビネット６０ａの部分断面図である。
底板案内部としての底板レール６６は、底板６０Ｄの側端部に、側板６５Ａ，６５Ｂが立設する部分に沿って設けられている。この底板レール６６は、断面Ｃの字状に形成されている。また、底板レール６６には、後述する側板６５Ａ，６５Ｂに設けられた底板ピン６７の首部がこの底板レール６６に沿って移動可能に係合する。
【００５４】
天板案内部としての天板レール６８は、天板６０Ｃの側端部に、側板６５Ａ，６５Ｂが立設する部分に沿って設けられている。この天板レール６８は、断面Ｃの字状に形成されている。また、天板レール６８には、後述する側板６５Ａ，６５Ｂに設けられた天板ピン６９の首部がこの天板レール６８に沿って移動可能に係合する。
【００５５】
底板ピン６７は、側板６５Ａ，６５Ｂの底板方向の先端側に接続された円柱状の胴部とこの胴部の先端側に接続され、この胴部の直径より大きい直径で形成された円柱状の首部とを有する。底板ピン６７は、首部のみが底板６０Ｄの底板レール６６内部に移動可能に係合して、底板レール６６に案内される。
【００５６】
天板ピン６９は、側板６５Ａ，６５Ｂの天板方向の先端側に接続された円柱状の胴部とこの胴部の先端側に接続され、この胴部の直径より大きい直径で形成された円柱状の首部とを有する。天板ピン６９は、首部のみが天板６０Ｃの天板レール６８内部に移動可能に係合して、天板レール６８に案内される。
【００５７】
次に、図７及び図８を用いて、キャビネット６０ａを折りたたむ手順について説明する。
図７は、実施例２のキャビネット６０ａの構成を示す斜視図である。
図８は、実施例２の折りたたんだ状態のキャビネット６０ａの構成を示す断面図である。
側板６５Ａの第２蝶番６４を介して接続されている部分をキャビネット６０ａの内部方向に押す。すると、底板６０Ｄの底板レール６６の先端側に位置していた側板６５Ａの底板ピン６７は、底板レール６６の基端側に移動する。すると、底板係止片６１１の先端部６１６の爪部６１６ａと側板６５Ａの底板係止片用かき込み６１２との係合が解除される。また、天板６０Ｃの天板レール６８の先端側に位置していた側板６５Ａの天板ピン６９は、天板レール６８の基端側に移動する。すると、天板係止片６２１の先端部６２６の爪部６２６ａと側板６５Ａの天板係止片用かき込み６２２との係合が解除される。
その後、底板レール６６に底板ピン６７を案内させ、天板レール６８に天板ピン６９を案内させて、側板６５Ａの先端を背板６０Ｅ側に移動させるとともに、側板６５Ａの第２蝶番６４を介して接続されている部分を、背板６０Ｅに略直交する方向から背板６０Ｅに略水平になる方向に回動させる。すると、側板６５Ａの第２蝶番６４を介して接続されている２つの部分は、第２蝶番６４を支点として互いに反対方向に回動し重なる。その後、底板レール６６の背板６０Ｅ側の端部より、底板レール６６の内部から底板ピン６７の首部を抜き、底板レール６６と底板ピン６７との係合を解除する。また、天板レール６８の背板６０Ｅ側の端部より、天板レール６８の内部から天板ピン６９の首部を抜き、天板レール６８と天板ピン６９との係合を解除する。
次に、側板６５Ｂを側板６５Ａと同様の手順で、背板６０Ｅに略直交する方向から背板６０Ｅに略水平になる方向に回動させる。
【００５８】
次に、キャビネット６０ａを組み立てる手順について説明する。
底板６０Ｄ及び天板６０Ｃを背板６０Ｅに略水平になる方向から背板６０Ｅに略直交する方向に回動させる。
次に、底板レール６６の背板６０Ｅ側の端部より、底板レール６６の内部に底板ピン６７の首部を挿入し、底板レール６６と底板ピン６７とを係合させる。また、天板レール６８の背板６０Ｅ側の端部より、天板レール６８の内部から天板ピン６９の首部を挿入し、天板レール６８と天板ピン６９とを係合させる。
その後、底板レール６６に底板ピン６７を案内させ、天板レール６８に天板ピン６９を案内させて、側板６５Ａの先端を底板レール６６の先端側に移動させるとともに、側板６５Ａの第２蝶番６４を介して接続されている部分を、背板６０Ｅに略水平になる方向から背板６０Ｅに略直交する方向に回動させる。すると、側板６５Ａの第２蝶番６４を介して接続されている２つの部分は、第２蝶番６４を支点として互いに反対方向に回動し、略水平に並んで配置される。
次に、側板６５Ｂを側板６５Ａと同様の手順で、側板６５Ｂの第２蝶番６４を介して接続されている２つの部分を略水平に並べて配置させる。
【００５９】
実施例２によれば、以下のような効果がある。
（３）底板６０Ｄの側縁部にこの側縁部に沿って底板レール６６を設け、側板６５Ａ，６５Ｂの底板６０Ｄ側端部に底板レール６６に案内される底板ピン６７を設け、天板６０Ｃの側縁部にこの側縁部に沿って天板レール６８を設け、側板６５Ａ，６５Ｂの天板６０Ｃ側端部に、天板レール６８に案内される天板ピン６９を設けた。
これにより、側板６５Ａ，６５Ｂを底板レール６６及び天板レール６８に案内させて回動させることができるので、キャビネット６０ａをより容易に折りたためるとともに、組み立てることができる。
【００６０】
以上、実施例について説明したが、本発明はこれに限られるものではない。
【図面の簡単な説明】
【００６１】
【図１】遊技機の外観を示す斜視図である。
【図２】キャビネットの構成を示す斜視図である。
【図３】キャビネットの構成を示す斜視図である。
【図４】折りたたんだ状態のキャビネットの構成を示す断面図である。
【図５】キャビネットの構成を示す斜視図である。
【図６】キャビネットの部分断面図である。
【図７】キャビネットの構成を示す斜視図である。
【図８】折りたたんだ状態のキャビネットの構成を示す断面図である。
【符号の説明】
【００６２】
１      遊技機
２      前面ドア
６０，６０ａ      キャビネット
６０Ｄ      底板
６０Ｃ      天板
６０Ｅ      背板
６０Ａ，６０Ｂ，６５Ａ，６５Ｂ      側板
６３      第１蝶番
６１      底板係止部
６２      天板係止部
６６      底板レール
６７      底板ピン
６８      天板レール
６９      天板ピン
６０１      開放面
【図１】
2007313237.tif 000003
【図２】
2007313237.tif 000004
【図３】
2007313237.tif 000005
【図４】
2007313237.tif 000006
【図５】
2007313237.tif 000007
【図６】
2007313237.tif 000008
【図７】
2007313237.tif 000009
【図８】
2007313237.tif 000010